(57)【要約】  著作権保護を遵守しながら、コンテンツをそれぞれの機器で最適な高画質を保ちつつ機器の間で幾度でもコンテンツのやり取り(移動処理)を可能とできる記録再生装置であって、コンテンツ管理部（１３）は、外部機器に複製が禁止されているコンテンツデータを転送する場合に、転送するのと同時に記録再生部（５）におけるコンテンツデータの再生を不可とするようにコンテンツデータを管理し、もし外部機器から転送されるコンテンツデータがかつて記録再生装置から前記外部機器に転送したコンテンツデータであり、かつ、記録再生装置内で再生不可の状態となっているコンテンツデータである場合には、記録再生装置内の当該コンテンツデータの再生を可能とするコンテンツデータの管理を行う。【特許請求の範囲】
【請求項１】
放送番組のコンテンツデータを受信する受信部と前記受信部が受信したコンテンツデータを記録媒体に記録し、前記記録媒体に記録されたコンテンツデータを再生する記録再生部を備えた記録再生装置であって、
前記記録再生部に記録されたコンテンツデータに解像度の変換処理を行う変換部と、前記変換部から出力されたコンテンツデータを外部機器に／から出力／入力する機能を有する転送部と、前記記録再生部に記録されたコンテンツデータを管理するコンテンツ管理部とを備え、前記コンテンツ管理部は、外部機器に複製が禁止されているコンテンツデータを転送する場合に、転送の際に前記記録再生部における当該コンテンツデータの再生を不可とするように当該コンテンツデータを管理し、もし外部機器から転送されるコンテンツデータが、かつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行うことを特徴とする記録再生装置。
【請求項２】
もし外部機器から転送されるコンテンツデータが、かつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行うことを特徴とする請求の範囲第１項に記載の記録再生装置。
【請求項３】
前記変換部から出力されたコンテンツデータを取り外し可能な記録媒体に変換記録する記録装置を有し、前記記録再生部に記録されたコンテンツデータを前記コンテンツ管理部が管理して、前記コンテンツ管理部は、複製の作成が禁止されているコンテンツデータを前記取り外し可能な記録媒体に転送する場合に、転送するとともに前記記録再生部の当該コンテンツデータの再生を不可とするように当該コンテンツデータを管理し、もし取り外し可能な記録媒体から前記記録再生装置に転送されるコンテンツデータが、同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行うことを特徴とする請求の範囲第１項に記載の記録再生装置。
【請求項４】
放送番組のコンテンツデータを受信し前記受信したコンテンツデータを記録し、前記記録されたコンテンツデータを再生する記録再生装置における記録再生方法であって、
前記記録再生されたコンテンツデータに解像度の変換処理を行うステップと、前記変換処理されたコンテンツデータを外部機器に／から出力／入力するステップと、前記記録再生されたコンテンツデータを管理するステップと外部機器に複製が禁止されているコンテンツデータを転送する場合に、転送の際に当該コンテンツデータの再生を不可とするように当該コンテンツデータを管理するステップと、もし外部機器から転送されるコンテンツデータが、かつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行うステップを有することを特徴とする記録再生方法。
【請求項５】
もし外部機器から転送されるコンテンツデータが、かつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行うステップを有することを特徴とする請求の範囲第４項に記載の記録再生方法。
【請求項６】
前記変換処理されたコンテンツデータを取り外し可能な記録媒体に変換記録する場合には、前記記録再生されたコンテンツデータを管理して、複製の作成が禁止されているコンテンツデータを前記取り外し可能な記録媒体に転送する場合に、転送するとともに当該コンテンツデータの再生を不可とするように当該コンテンツデータを管理するステップと、もし取り外し可能な記録媒体から前記記録再生装置に転送されるコンテンツデータが、同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行うステップを有することを特徴とする請求の範囲第４項に記載の記録再生方法。
【発明の詳細な説明】
【技術分野】
【０００１】
本発明は、受信した放送番組の映像信号及びオーディオ信号を記録媒体に記録し再生する記録再生装置及び記録再生方法に関する。
【背景技術】
【０００２】
テレビ放送局から送信された放送番組情報を受信し、受信した放送番組コンテンツの映像信号及びオーディオ信号をデジタル化したもの（以下、コンテンツデータという）を装置内部の記録媒体に記録し再生する記録再生装置がある。この記録再生装置は、コンテンツデータをHD（Hard Disk）などの記録媒体にデジタル信号で記録し、記録媒体に記録されたコンテンツデータを再生する。このような記録再生装置には、外部機器（例えば、携帯型の再生装置）を接続し、この外部機器に記録媒体に記録されたコンテンツデータを転送することができるもの、或いは取り外し可能な記録媒体に記録されたコンテンツデータを転送できるものもある。【０００３】
このようなデジタル信号により記録されたコンテンツデータは、他の記録媒体にデジタル信号のままの状態で複製（デジタルコピー）すると、画質や音質の劣化なしにコンテンツデータの複製をすることができる。このため、従来よりコンテンツデータの著作権を保護するために、デジタルコピーができる回数を制限する情報や複製を禁止する情報などの管理情報がコンテンツデータに付されている。【０００４】
従来の記録再生装置において、コンテンツを取り外し可能な記録媒体や外部機器に転送するとき、転送するコンテンツデータの著作権を保護することができる装置が、例えば特開２００２‐２３８０２３号公報に開示されている。この特許文献に開示された装置では、第１の記録媒体に記録されたコンテンツデータを取り外し可能な記録媒体や外部機器の第２の記録媒体にコピーした後、第１の記録媒体からコピーしたコンテンツデータを削除する（以降これをMove処理と呼ぶ）ことにより、コンテンツデータの著作権を保護する。【０００５】
従来の記録再生装置は、当該記録再生装置に記録されたコンテンツを取り外し可能な記録媒体や外部機器に転送するとき、外部機器の表示機能が記録再生装置から転送されるコンテンツデータの解像度に対応していない場合、すなわち、外部機器に転送しようとするコンテンツデータの映像信号の解像度が外部機器が再生できる解像度よりも高い場合には、転送するコンテンツデータの解像度を低解像度コンテンツデータに変換し、変換したコンテンツデータを外部機器に転送する、一般にこの変換処理は劣化を伴う不可逆変換である。【０００６】
また、転送先で解像度が対応している場合であっても圧縮方式が異なる場合には同様に変換処理が必要であり、多くの場合この変換においても画質の劣化を伴う。【０００７】
上述した従来の記録再生装置において、解像度変更などの変換処理を施して外部機器や取り外し可能な記録媒体に移動されたコンテンツをユーザが視聴した後もしくは途中まで視聴した時点で、当該コンテンツを記録再生装置に再度移動して戻す場合がある。この場合、従来の方法では記録再生装置から外部機器に転送したコンテンツが低解像度に変換されたコンテンツデータのとき、外部機器から記録再生装置に再度転送され戻るコンテンツは低解像度のコンテンツデータとなる。ただし、著作権保護のために外部機器に転送したコンテンツデータの複製作成は禁止されているので記録再生装置内のコンテンツは既に削除されており、ここで記録再生装置に戻ってくるコンテンツは、外部機器に転送した低解像度のコンテンツデータであり、従来の方法ではこれを記録再生装置内の記録媒体に記録することになる。【０００８】
したがって、最初に記録再生装置に記録された時点では高解像度のコンテンツであったものが、取り外し可能な記録媒体や外部機器に移動され、さらに取り外し可能な記録媒体や外部機器から記録再生装置に再度転送して戻されると低解像度に変換されたコンテンツになってしまう。このため、記録再生装置から外部機器や取り外し可能な記録媒体にいったん移動してから記録再生装置に戻したコンテンツを再生する場合、変換により画質が劣化したコンテンツデータを再生することになる。このことは、移動を繰り返す度に画像が劣化するという問題が生じることも意味する。【０００９】
本発明は、外部機器や記録媒体との間で著作権保護が必要なコンテンツの移動を繰り返しても、同コンテンツをそれぞれの環境において可能な限り著作者の意図に忠実であるよう高品位な再生視聴が続けられるようにという趣旨のもとに、上述の課題を解決するためになされたものであり、低解像度に変換した高解像度コンテンツを記録再生装置から外部機器や取り外し可能な記録媒体に転送し、この外部機器や取り外し可能な記録媒体から記録再生装置に当該コンテンツを再度転送し戻す場合に、記録再生装置においては当該コンテンツを低解像度のコンテンツデータに変換する前の高解像度のコンテンツデータで再生することができ、かつ、記録再生装置に記録され外部機器に転送されるコンテンツの著作権を保護管理することができる記録再生装置及び記録再生方法を提供することを課題とする。
【発明の開示】
【発明が解決しようとする課題】
【００１０】
上記の課題を解決するために、本願に記載の発明では、放送番組のコンテンツデータを受信する受信部と前記受信部が受信したコンテンツデータを記録媒体に記録し、前記記録媒体に記録されたコンテンツデータを再生する記録再生部を備えた記録再生装置であって、前記記録再生部に記録されたコンテンツデータに解像度の変換処理を行う変換部と、前記変換部から出力されたコンテンツデータを外部機器に／から出力／入力する機能を有する転送部と、前記記録再生部に記録されたコンテンツデータを管理するコンテンツ管理部とを備え、前記コンテンツ管理部は、外部機器に複製が禁止されているコンテンツデータを転送する場合に、転送の際に前記記録再生部における当該コンテンツデータの再生を不可とするように当該コンテンツデータを管理し、もし外部機器から転送されるコンテンツデータがかつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行う記録再生装置とする。【００１１】
これによって、記録再生装置から低解像度に変換したコンテンツを外部機器に転送し、その外部機器から記録再生装置に当該コンテンツを再度転送し戻す場合であっても、記録再生装置にコンテンツが戻った状態では当該コンテンツを低解像度のコンテンツデータに変換する前の高解像度コンテンツデータを利用して再生することができ、著作権保護を遵守しながらも、コンテンツをそれぞれの機器で最適な高画質を保ちつつ記録再生装置と外部機器の間で幾度でもコンテンツのやり取り(移動処理)をすることが可能とできる。【００１２】
また、本発明では外部装置から記録再生装置にコンテンツを戻す移動処理を行う際に、当該コンテンツのデータ全てを転送する必要は無いため、一瞬でコンテンツの移動処理を完了可能とすることもできる。【００１３】
さらに、もし外部機器から転送されるコンテンツデータがかつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行う記録再生装置とすれば、外部機器に関する著作権遵守管理も完璧とできる。【００１４】
さらに、前記変換部から出力されたコンテンツデータを取り外し可能な記録媒体に変換記録する記録装置を有し、前記記録再生部に記録されたコンテンツデータを前記コンテンツ管理部が管理して、前記コンテンツ管理部は、複製の作成が禁止されているコンテンツデータを前記取り外し可能な記録媒体に転送する場合に、転送するとともに前記記録再生部の当該コンテンツデータの再生を不可とするように当該コンテンツデータを管理し、もし取り外し可能な記録媒体から前記記録再生装置に転送されるコンテンツデータが同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行う記録再生装置とすれば、取り外し可能な記録媒体に変換記録する記録装置を有する記録再生装置においても、その取り外し可能な記録媒体との間での著作権保護を遵守しながら、コンテンツを最適な高画質を保ちつつ幾度でもコンテンツのやり取りをすることを可能とできる。【００１５】
さらに、放送番組のコンテンツデータを受信し前記受信したコンテンツデータを記録し、前記記録されたコンテンツデータを再生する記録再生装置における記録再生方法であって、前記記録再生されたコンテンツデータに解像度の変換処理を行うステップと、前記変換処理されたコンテンツデータを外部機器に／から出力／入力するステップと、前記記録再生されたコンテンツデータを管理するステップと外部機器に複製が禁止されているコンテンツデータを転送する場合に、転送の際に当該コンテンツデータの再生を不可とするように当該コンテンツデータを管理するステップと、もし外部機器から転送されるコンテンツデータが、かつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行うステップを有することを特徴とする。【００１６】
これによって、記録再生装置から低解像度に変換したコンテンツを外部機器に転送し、その外部機器から記録再生装置に当該コンテンツを再度転送し戻す場合であっても、記録再生装置にコンテンツが戻った状態では当該コンテンツを低解像度のコンテンツデータに変換する前の高解像度コンテンツデータを利用して再生することができ、著作権保護を遵守しながらも、コンテンツをそれぞれの機器で最適な高画質を保ちつつ記録再生装置と外部機器の間で幾度でもコンテンツのやり取り(移動処理)をすることが可能とできる。【００１７】
さらに、もし外部機器から転送されるコンテンツデータが、かつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行うステップを有することを特徴とする記録再生方法とすれば、外部機器に関する著作権遵守管理も完璧とできる。【００１８】
さらに、前記変換処理されたコンテンツデータを取り外し可能な記録媒体に変換記録する場合には、前記記録再生されたコンテンツデータを管理して、複製の作成が禁止されているコンテンツデータを前記取り外し可能な記録媒体に転送する場合に、転送するとともに当該コンテンツデータの再生を不可とするように当該コンテンツデータを管理するステップと、もし取り外し可能な記録媒体から前記記録再生装置に転送されるコンテンツデータが、同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行うステップを有することを特徴とする記録再生方法とすれば、取り外し可能な記録媒体に変換記録する記録装置を有する記録再生装置においても、その取り外し可能な記録媒体との間での著作権保護を遵守しながら、コンテンツを最適な高画質を保ちつつ幾度でもコンテンツのやり取りをすることを可能とできる。
【図面の簡単な説明】
【００１９】
【図１】本発明に係る第一の実施の形態の記録再生装置の構成を示すブロック図である。
【図２】図１の第一の実施の形態における記録再生装置のコンテンツデータの転送動作を説明するフローチャートである。
【図３】図１の第一の実施の形態における記録再生装置のコンテンツデータの転送動作を説明するフローチャートである。
【図４】本発明に係る第二の実施の形態の記録再生装置の構成を示すブロック図である。
【図５】第二の実施の形態の記録再生装置におけるコンテンツデータの外部機器との相互転手順の説明図である。
【図６】第二の実施の形態の記録再生装置におけるコンテンツ管理を実現する処理の構成例を示す説明図である。
【図７】第二の実施の形態の記録再生装置における想定される運用形態の一例を示す説明図である。
【図８】第二の実施の形態の記録再生装置におけるさらなる運用形態の一例を示す説明図である。
【図９】第二の実施の形態の記録再生装置に対応する外部機器（PMP）のハードウェア構成の例を示すブロック図である。
【図１０】第二の実施の形態の記録再生装置の著作権管理に対応した取り外し可能な記憶媒体の構成の例（CPRM対応 DVD-RW）を示す説明図である。
【図１１】第二の実施の形態の記録再生装置に対応するコンテンツ管理方法の一例を示す説明図である。
【図１２】第二の実施の形態の記録再生装置に対応するコンテンツ視聴状態の管理方法の説明図である。
【図１３】第二の実施の形態の記録再生装置に対応するコンテンツを転送する領域の指定方法の説明図である。
【図１４】第二の実施の形態の記録再生装置に対応する転送後の録画記録装置側での再生制御の管理の説明図である。
【発明を実施するための最良の形態】
【００２０】
以下、本発明の実施の形態を図面に基づいて説明する。【００２１】
（第一の実施の形態）
図１は、本発明の第一の実施の形態である記録再生装置の構成を示すブロック図である。図１において、１は受信部、２はＮＴＳＣ（National Television Standards Committee）デコード部、３はＡＴＳＣ（Advanced Television Systems Committee）フロントエンド部、４はＭＰＥＧ（Moving Picture Experts Group）エンコード部、５は記録再生部、６はＭＰＥＧデコード部、７は映像信号処理部、８はオーディオ信号処理部、９は転送部、１０は操作部、１１は制御部、１２は変換部、１３はコンテンツ管理部を示す。【００２２】
図１に示す受信部１は、アナログテレビ放送やデジタルテレビ放送の放送番組情報を受信する。受信部１は、受信したアナログテレビ放送の放送番組情報のコンテンツデータをＮＴＳＣデコード部２に出力する。また、受信部１は、受信したデジタルテレビ放送のＭＰＥＧ方式により圧縮されたコンテンツデータをＡＴＳＣフロントエンド部３に出力する。【００２３】
ＮＴＳＣデコード部２は、入力されたコンテンツデータをデジタルデータに変換し、ＮＴＳＣ方式のコンテンツデータ（デジタル映像信号及びデジタルオーディオ信号）に復調しＭＰＥＧエンコード部４に出力する。ＡＴＳＣ部フロントエンド部３は、入力されたコンテンツデータをビットストリームデータに変換し記録再生部５に出力する。ＭＰＥＧエンコード部４は、ＮＴＳＣデコード部２から入力されたコンテンツデータをＭＰＥＧ方式の圧縮アルゴリズムにより圧縮する処理を施す。【００２４】
記録再生部５は、HD等の記録媒体を備え、ＡＴＳＣフロントエンド部３及びＭＰＥＧエンコード部４から入力されたＭＰＥＧ方式で圧縮されたコンテンツデータを記録媒体に記録する。また、記録再生部５は、制御部１１の制御により記録媒体に記録されたコンテンツデータを再生する。【００２５】
ＭＰＥＧデコード部６は、記録再生部５から再生されたコンテンツデータをＭＰＥＧ方式の伸長アルゴリズムにより伸長する処理を施す。伸長処理されたデジタル映像信号は、映像信号処理７に出力され、伸長処理されたデジタルオーディオ信号は、オーディオ信号処理部８に出力される。【００２６】
映像信号処理部７は、デジタル映像信号をアナログ信号に変換し、エンファシス等の処理をする。オーディオ信号処理部８はデジタルオーディオ信号をアナログ信号に変換し、増幅等の処理をする。アナログ信号に変換された映像信号及びオーディオ信号は、それぞれ出力端子に接続された図示しない表示装置及びスピーカから出力される。【００２７】
転送部９は、外部機器（例えば、携帯型の再生装置）と接続し、本実施の形態の記録再生装置と外部機器の間でコンテンツデータを転送するためのインターフェース（例えば、USBなど）である。また、転送部９は、外部機器が接続されると、外部機器の情報（例えば、解像度情報、識別情報など）を接続された外部機器から入力する。入力された外部機器の情報は、制御部１１に入力される。本実施の形態の記録再生装置は、記録再生部５に記録されたコンテンツデータを転送部９に接続された外部機器に転送することができ、また、外部機器から転送されたコンテンツデータを記録再生部５に記録することができる。【００２８】
操作部１０は、受信したコンテンツデータを記録媒体に記録する操作、記録媒体に記録されたコンテンツデータを再生する操作、転送するコンテンツデータを選択する操作などの本実施の形態の記録再生装置を操作するための操作ボタン及び操作ボタンの操作内容を表示する表示部を備える。制御部１１は、操作部１０の操作指示に応じて、コンテンツデータの記録媒体への記録、記録媒体に記録されたコンテンツデータの再生、コンテンツデータの転送等の装置全体を制御する。また、制御部１１は、転送部９から入力された外部機器の情報に基づいて、転送部９に接続された外部機器の認証をする。【００２９】
変換部１２は、制御部１１の制御により、外部機器に転送するコンテンツデータの解像度を低解像度に変換し転送部９に出力する。制御部１１は、転送するコンテンツデータの解像度やデータサイズと転送部９から入力された外部機器の情報に基づいて変換部１２を制御する。【００３０】
コンテンツ管理部１３は、記録再生部５に記録されたコンテンツデータを管理する。コンテンツ管理部１３は、記録再生部５に記録されたコンテンツデータが外部機器に転送されると、当該コンテンツデータを記録再生部５から消去せずに、記録再生部５が転送されたコンテンツデータを再生することができないように当該コンテンツデータを再生不可のコンテンツデータとして管理する。コンテンツ管理部１３は、図示しないコンテンツ情報記憶部を備え、記録再生部５に記録されているコンテンツデータ毎に、コンテンツデータの再生可能又は再生不可の情報、コンテンツデータのファイル名情報、コンテンツデータの転送先の外部機器の情報等のコンテンツに関する情報（以下、コンテンツ情報という）をコンテンツ情報記憶部に記憶する。【００３１】
コンテンツ管理部１３は、転送部９に接続された外部機器からコンテンツデータが転送されるとき、当該外部機器の情報、転送されるコンテンツデータのファイル名等の情報と上述したコンテンツ情報記憶部に記憶されたコンテンツ情報を比較し、外部機器から転送されるコンテンツデータが再生不可のコンテンツデータとして管理されているか否かを判別する。【００３２】
コンテンツ管理部１３は、外部機器から転送されるコンテンツデータのコンテンツ情報がコンテンツ情報記憶部に記憶された情報と一致した場合、当該コンテンツデータが再生不可のコンテンツデータとして管理されていることを判別し、この再生不可のコンテンツデータを再生可能とするようにコンテンツ情報を書き換える。また、コンテンツ管理部１３は、外部機器から転送されるコンテンツデータに関する情報（当該外部機器の情報、ファイル名等の情報）がコンテンツ情報記憶部に記憶された情報と一致しない場合、当該コンテンツデータが再生不可のコンテンツデータとして管理されていないコンテンツデータと判別し、当該外部機器から転送されるコンテンツデータのコンテンツ情報を新たに追加する。【００３３】
なお、上記において、コンテンツ管理部１３は、制御部１１とは分離して示したが、制御部１１の一部としてコンテンツ管理部１３を考えることもできる。【００３４】
次に、本実施の形態の記録再生装置のコンテンツデータの転送動作を説明する。図２及び図３は、本実施の形態の記録再生装置のコンテンツデータの転送動作を説明するフローチャートである。【００３５】
図２に示すステップＳ１は、制御部１１が転送部９に接続された外部機器を認証する制御をするステップである。制御部１１は、転送部９から入力された外部機器の情報から、転送部９に接続された外部機器を認証する。【００３６】
ステップＳ２は、コンテンツデータを外部機器に転送するか否かを制御部１１が判別するステップである。操作部１０の表示部は、制御部１１の制御により、転送可能（再生可能）なコンテンツデータのファイル名を表示し、外部機器に転送されコンテンツ管理部１３により再生不可とされたコンテンツデータのファイル名を表示しない。このため、ユーザは、操作部１０を操作し表示部に表示された転送可能なコンテンツデータを選択することができる。制御部１１は、操作部１０からユーザが選択したコンテンツデータを外部機器に転送する操作指示の有無により、コンテンツデータを外部機器に転送するか否かを判別する。コンテンツデータを外部機器に転送する場合はステップＳ３に進む。コンテンツデータを外部機器に転送しない場合はステップＳ５に進む。【００３７】
ステップＳ３は、ステップＳ２で選択されたコンテンツデータを外部機器に転送するステップである。制御部１１は、記録再生部５にステップＳ２で選択されたコンテンツデータを読み出す制御をし、読み出したコンテンツデータを変換部１２に出力する制御をする。制御部１１は、ステップＳ１において入力された外部機器の情報から、転送するコンテンツデータの解像度が転送先の外部機器の解像度に対応するように変換部１２を制御する。変換部１２は、制御部１１の制御により、外部機器に転送するコンテンツデータの解像度を低解像度に変換し転送部９に出力する。外部機器は、本実施の形態の記録再生装置から転送されたコンテンツデータを記憶媒体に記憶し、記憶媒体に記憶されたコンテンツデータを再生することができる。【００３８】
ステップＳ４は、コンテンツ管理部９が外部機器に転送されたコンテンツデータを再生不可とするステップである。コンテンツ管理部１３は、ステップＳ３において外部機器に転送されたコンテンツデータを再生不可とし、記録再生部５から再生されないようにする。ステップＳ５は、図３に示すフローチャートのステップＳ６に進むステップである。【００３９】
図３に示すステップＳ６は、外部機器から転送されるコンテンツデータがあるか否かを制御部１１が判別するステップである。制御部１１は、外部機器から本実施の形態の記録再生装置にコンテンツデータを転送するコマンドが入力されると、外部機器から転送されるコンテンツデータがあると判別する。外部機器から転送されるコンテンツデータがある場合はステップＳ７に進む。外部機器から転送されるコンテンツデータがない場合は、本実施の形態の記録再生装置のコンテンツデータの転送動作を終了する。【００４０】
ステップＳ７は、外部機器から転送されるコンテンツデータが再生不可のコンテンツデータとして管理されているか否かをコンテンツ管理部１３が判別するステップである。コンテンツ管理部１３は、転送部９に接続された外部機器からコンテンツデータが転送されるとき、外部機器から入力された当該外部機器の情報、転送されるコンテンツデータのファイル名等の情報とコンテンツ情報記憶部に記憶されたコンテンツ情報を比較し、外部機器から転送されるコンテンツデータが再生不可のコンテンツデータとして管理されているか否かを判別する。外部機器から転送されるコンテンツデータが再生不可のコンテンツデータとして管理されている場合はステップＳ８に進む。外部機器から転送されるコンテンツデータが再生不可のコンテンツデータとして管理されていない場合はステップＳ１０に進む。【００４１】
ステップＳ８は、コンテンツ管理部１３が再生不可のコンテンツデータを再生可能とするようにコンテンツ情報を管理するステップである。コンテンツ管理部１３は、ステップＳ７において、外部機器から転送されるコンテンツデータが再生不可のコンテンツデータとして管理されていることを判別すると、この再生不可とされたコンテンツデータを再生可能とするコンテンツ情報に書き換える。【００４２】
ステップＳ９は、外部機器にコンテンツデータの転送を中止させる制御コマンドを転送部９から送信する制御を制御部１１がするステップである。このとき、制御部１１は、外部機器に対しコンテンツデータの転送を終了させる制御コマンドを送信する。外部機器は、転送すべきコンテンツデータを外部機器の記憶媒体から削除、もしくは外部機器で利用不可能な状態にする。【００４３】
ステップＳ１０は、外部機器からコンテンツデータの転送を開始するステップである。制御部１１は、外部機器から転送されたコンテンツデータを記録再生部５に記録するように制御する。ステップＳ１１は、図２に示すフローチャートのステップＳ２に進むステップである。【００４４】
上述した本実施の形態の記録再生装置では、記録再生部５に記録されたコンテンツデータにおいて、外部機器に転送されコンテンツ管理部１３により再生不可とされたコンテンツデータのファイル名は表示部に表示されず、外部機器に転送されていないコンテンツデータのファイル名を表示部に表示する。このため、ユーザは、外部機器に転送されていないコンテンツデータのみを選択して再生又は外部機器に転送する操作をする。したがって、本実施例の記録再生装置は、コンテンツ管理部１３が外部機器に転送されたコンテンツデータを記録再生部５からの再生ができないように管理するため、外部機器に転送されたコンテンツデータの著作権を保護することができる。【００４５】
また、本実施の形態の記録再生装置は、低解像度に変換したコンテンツデータを外部機器に転送した後、この低解像度のコンテンツデータを外部機器から記録再生装置に再度転送する場合、低解像度に変換される前の高解像度のコンテンツデータが再生不可として記録再生部５に記録されているため、この再生不可とされた高解像度のコンテンツデータを再生できるようにコンテンツ情報記憶部のコンテンツ情報を書き換える。このため、本実施の形態の記録再生装置は、外部機器から低解像度のコンテンツデータが転送される場合であっても、当該コンテンツデータを低解像度のコンテンツデータに変換する前の高解像度のコンテンツデータにすることができ、転送時の解像度の変換によるコンテンツデータの画質が劣化することを防ぐことができる。【００４６】
（第二の実施の形態）
第一の実施の形態の構成と対応する部分には、基本的に第一の実施の形態の構成に５０を加えた符号をつけて示し説明する。図４は、本発明の第二の実施の形態である記録再生装置のハードウェアの構成を示すブロック図である。図４において、５１は、アンテナ又はＣＡＴＶ線からの電波５０を受信するテレビジョン放送受信部、５２は復号化部、５３は記録再生部５５に対する暗号化および復号化部、５４はＭＰＥＧ（Moving Picture Experts Group）圧縮変換(TransCode or Decode+Encode)部、５５は記録再生部、５６はＭＰＥＧデコーダー部、５７は著作権保護のための暗号化処理部、５９は外部機器との通信と転送を扱う転送部、６１はコンテンツ管理部を含む中央制御処理部(CPU)、６０は操作部、６２は特有のハードウェアＩＤを含むＲＯＭ、６４は取り外し可能（Removal）な記録媒体の記録再生部を示す。【００４７】
図４に示すテレビジョン受信部５１は、アナログテレビ放送やデジタルテレビ放送と放送番組情報を受信する。受信部５１は、受信したテレビ放送の番組が暗号化(Scrambled)されていれば契約情報に基づき復号化(De-Scramble)部５２で復号化したコンテンツデータを暗号化および復号化部５３で暗号化した上で内蔵された記録媒体を有する記録再生部５５に記録する。復号化されたコンテンツデータ、もしくは一旦記録再生部に記録されてから読み出されたコンテンツデータは、外部機器に転送もしくは取り外し可能な記録媒体に移動する際には、圧縮変換部５４を経由し転送先が許容する形式に圧縮変換を行う。この際転送するコンテンツに著作権の保護が必要であれば暗号化処理部５７で暗号化してから出力する。また、ＭＰＥＧデコーダー部５６は、受信したデジタルテレビ放送のコンテンツデータを映像と音声にデコードして再生出力する。【００４８】
コンディショナルアクセスコントロール部である復号化部５２は、視聴制限のためにスクランブル処理された番組をＣＡＳ（Conditional Access System）カードやOpenCable（登録商標）POD（Point of Deployment）モジュールに設定された契約条件に従って復号化し、これをＭＰＥＧのデコーダー部５６でデコードできるデジタル形式のコンテンツデータに変換する。【００４９】
記録再生部５５は、HD等の記録媒体を備え、テレビジョン放送受信部５１で受信され復号化部５２で復号化されたコンテンツデータを著作権保護のために暗号化および復号化部５３で暗号処理を行い記録再生部５５の記録媒体に記録する。こうすることで、万一機器が分解され直接記録媒体が読み出されようとしたとしても暗号化されているので記録されたコンテンツの著作権を保護できる。再生時および転送時に記録再生部５５から読み出された情報は、制御処理部６１の制御により暗号化および復号化部５３で記録再生部５５の記録媒体に記録されたコンテンツの当該データを暗号化および復号化部５３で暗号化する前の状態、すなわちコンテンツデータに再現する。【００５０】
ＭＰＥＧのデコーダー部５６は、記録再生部５５から再生されているコンテンツデータをＭＰＥＧ方式の伸長アルゴリズムにより伸長する処理を施す。伸長処理されたデジタル映像と音声信号は機器から出力され、それぞれ出力端子に接続された図示しない表示装置及びスピーカから出力されることで利用者が視聴することが可能となる。【００５１】
圧縮変換部５４は、ＭＰＥＧなどの方式で圧縮された高解像度のコンテンツデータを低解像度な画像にすることや、より圧縮度が高い方式に変換することで、外部機器や取り外し可能な記録媒体が利用可能なフォーマットに変換を行う。この処理には既に多くの方式が考案されており例えばデジタル映像と音声信号を機器内部で一旦アナログ信号に変換し、これをデジタイズして再度異なる方式で圧縮することでも圧縮フォーマット変換を行うことでも可能である。【００５２】
著作権保護が必要なコンテンツを外部機器や取り外し可能な記録媒体に移動する場合には、暗号化処理部５７は例えばＣＰＲＭで定められた方式に従って出力するデーターの暗号化を行う。この方式に対応した記録媒体はすでに市販されており、図１０に示すような構造により完全な複製が不可能で、かつディスク一枚一枚の個体認識が可能となっている。【００５３】
転送部５９は、外部機器（例えば、携帯型の再生装置）と接続し、本実施の形態の記録再生装置と外部機器の間でコンテンツを転送するための物理インターフェース（例えば、ＵＳＢなど）を有す。また、転送部５９は、外部機器が接続されると、外部機器の情報（例えば、解像度情報、個体識別情報など）を接続された外部機器から取得する。取得した外部機器の情報は、制御処理部６１に入力される。本実施の形態の記録再生装置は、記録再生部５５に記録されたコンテンツを転送部５９に接続された外部機器に転送することができ、また、外部機器から転送されたコンテンツデータを記録再生部５５に記録することもできる。【００５４】
操作部６０は、受信したコンテンツデータを記録媒体に記録する操作、記録媒体に記録されたコンテンツデータを再生する操作、転送するコンテンツデータを選択する操作などの本実施の形態の記録再生装置を操作するための操作ボタン及び操作ボタンの操作内容を表示する表示部を備える。制御処理部６１は、操作部６０の操作指示に応じて、コンテンツデータの記録媒体への記録、記録媒体に記録されたコンテンツデータの再生、コンテンツデータの転送等の装置全体を制御する。また、制御処理部６１は、転送部５９を通じ外部機器から取得された外部機器の個体情報に基づいて、転送部５９に接続された外部機器の認証をする。【００５５】
制御処理部６１は圧縮変換部５４を制御し、外部機器に転送するコンテンツデータの解像度を低解像度に変換して転送部５９から出力させる。制御処理部６１は、転送するコンテンツデータの解像度やデータサイズを転送部５９から入力された外部機器の情報に基づいて圧縮変換部５４を制御する。【００５６】
図５に本記録再生装置から外部機器に転送を行う手順例を説明している。【００５７】
まず、図５中、放送波を受信した記録再生装置（図中、ハードディスクレコーダユニットとして例示）は、当該コンテンツデータ（コンテンツ１）を記録媒体に記録する（ステップ１）。記録されたデータは、放送信号に対応した解像度の高いデータである。【００５８】
本例において、記録されたコンテンツデータを外部機器（図中、ポータブルメディア）にいわゆるムーブ処理する場合、記録されたコンテンツデータの低解像度での外部機器への転送と、記録再生装置に記録されたオリジナルデータの属性変更と、が行われる（ステップ２）。転送速度、外部機器の記録容量等に合わせ、コンテンツデータは記録再生装置において圧縮（コード変換）され、相対的に低い解像度で外部機器に転送される。従って、外部機器には、相対的に低い解像度で記録される。【００５９】
一方、本例において、記録再生装置に記録されたオリジナルのデータは、従来機器のように削除されることなく、再生不可の状態で記録媒体に保存される（ステップ３）。外部機器に記録された同一データを記録再生装置に転送する場合には(いわゆるムーブバック)、記録再生装置は以前同一の外部機器にムーブしたコンテンツデータであることを確認し、再生不可状態で保存されているデータの管理情報（属性情報）を再生可能状態とする。すなわち、外部機器から実際のデータ転送（ムーブ処理）は必要とされない。これにより、記録再生装置においてコンテンツ１は待ち時間（転送処理時間）なしに、即時に再生可能となる。さらに、外部機器に記録されたデータは低解像度であるのに対し、記録再生装置においては元の（高解像度）状態での再生が可能である。【００６０】
図６は、本実施の形態の記録再生装置におけるコンテンツ管理を実現する処理の構成例を示す説明図である。図４の構成と対応する処理については、同番号に小文字のアルファベットをつけて示す。【００６１】
図６でのコンテンツ管理処理部６３で実行されるコンテンツ管理処理は、記録再生部５５に記録されたコンテンツデータを例えば図１１に示すようなコンテンツ管理テーブルの構造で管理する。コンテンツ管理処理は、著作権保護が必要な記録再生部５５に記録されたコンテンツを外部機器に転送する場合に、当該コンテンツデータを記録再生部５５上から消去はせずに、記録再生部５５が転送済みのコンテンツを再生することができないように当該コンテンツデータの管理属性を再生不可のコンテンツとして管理する。【００６２】
コンテンツ管理処理は、例えば図１１に示すようなコンテンツ管理情報テーブルを構築し、記録再生部５５に記録されているコンテンツデータ毎に、コンテンツデータが再生可能又は再生不可の情報、コンテンツデータのファイル名情報、コンテンツデータを転送した転送先の外部機器の個体情報等のコンテンツに関する属性管理情報（以下、コンテンツ管理情報という）をコンテンツ情報記憶部に記憶する。【００６３】
コンテンツ管理処理は、転送部５９に接続された外部機器からコンテンツデータが転送されるとき、当該外部機器の情報、転送されるコンテンツデータのファイル名等の管理属性情報とハードウェアの個体情報、上述したコンテンツ管理情報データを比較し、外部機器から転送されるコンンツデータが記録再生装置では再生不可のコンテンツデータとして管理されているかコンテンツであるか否かを判別する。【００６４】
この判断処理の一例を第一の実施の形態でも用いたフローチャートである図３を用いて後述する。【００６５】
コンテンツ管理処理は、外部機器から転送されるコンテンツデータのコンテンツ情報がコンテンツ情報記憶部に記憶された情報と一致した場合、当該コンテンツデータが再生不可のコンテンツデータとして管理されていることを判別し、外部機器側でこのコンテンツが利用できなくするのと同時に、当記録再生装置内の再生不可のコンテンツデータを再生可能とするようにコンテンツ管理情報を書き換える。また、コンテンツ管理処理は、外部機器から転送されるコンテンツに関する情報（当該外部機器の情報、ファイル名等の管理情報）がコンテンツ情報記憶部に記憶された情報と一致しない場合、当該コンテンツが再生不可のコンテンツデータとしては管理されていないコンテンツと判別し、当該外部機器から転送されるコンテンツデータを新たなコンテンツとして記録再生部５５の記録部に追加記録する、同時に外部機器側では転送済みのコンテンツを再生不可あるいは削除する処理を行う。【００６６】
コンテンツ毎に再生可能／再生不可を管理する方法の一例では、図１１のようなデータ管理構造において、例えば図７及び８に示すようにコンテンツ再生操作の可否を示す（フラグ）フィールドをコンテンツ属性情報管理データ中に設ける。フィールドの値が図８に示すように再生不可を示す値（例えば‘０’）であれば再生を不可にし、図７に示すように再生可能を示す値（例えば‘１’）であれば再生が可能であるように管理処理を行えば、コンテンツ単位での再生の可否管理が実現できる。【００６７】
なお、図９は、本実施の形態の記録再生装置に適応できる外部機器（ここでは、ポーターブルメディアプレイヤ）のハードウェア構成の一例を示すブロック図である。【００６８】
この例の外部機器は、外部とのコンテンツデータの受信・転送のためのデータコミュニケーションポート８０を備え、ここを通じて外部とのデータおよび情報のやり取りを受信転送部８９で行う。記録再生部８５は、情報を記録し、制御部９１のコンテンツ管理制御を受けて、指令に応じ、データの転送、再生を行う。再生は、復号化部８３、デコーダ部８６を通じてプレイバック出力９５とされ、表示装置、スピーカなどに送られる。特有のハードウェアＩＤを含むＲＯＭ９２を有し、制御部９１のコンテンツ管理処理部がコンテンツの受信、転送、再生などの制御を行う。【００６９】
次に、本実施の形態の記録再生装置のコンテンツデータの転送動作を説明する。図２及び図３は、第一の実施の形態でも用いたフローチャートであるが、本第２の実施の形態の記録再生装置のコンテンツデータの転送動作を説明するフローチャートでもある。【００７０】
図２に示すステップＳ１は、制御処理部６１が転送部５９に接続された外部機器を認証する制御をするステップである。図６におけるコンテンツ管理処理部６３は、転送部５９から入力された外部機器の情報（ハードウェアＩＤ）から、転送部５９に接続された外部機器を認証する。【００７１】
図２に示すステップＳ２は、コンテンツデータを外部機器に転送するか否かを図６のコンテンツ管理処理部６３が判別するステップである。操作部６０の一機能である表示機能６０ｂは、コンテンツ管理処理部６３の制御により、転送可能（再生可能）なコンテンツのファイル名を選択可能(Active)な状態で表示し、外部機器に転送されコンテンツ処理により再生不可とされたコンテンツデータのファイル名は表示しない、もしくはファイル名は表示されるが再生操作を選択することが不可能な状態にする。このため、ユーザは、転送されていないコンテンツについてのみ操作部６０を操作し表示機能６０ｂで表示された転送可能なコンテンツを一覧から選択することができる。制御処理部６１（コンテンツ管理処理部６３）は、操作部６０でユーザが選択したコンテンツを外部機器に転送する操作指示の有無により、コンテンツデータを外部機器に転送するか否かを判別する。コンテンツデータを外部機器に転送する場合はステップＳ３に進む。コンテンツデータを外部機器に転送しない場合はステップＳ５に進む。【００７２】
ステップＳ３は、ステップＳ２で選択されたコンテンツデータを外部機器に転送するステップである。制御処理部６１（コンテンツ管理処理部６３）は、記録再生部５５にステップＳ２で選択されたコンテンツデータを読み出す制御をし、読み出したコンテンツデータを転送部５９から外部機器に出力する制御をする。制御処理部６１（コンテンツ管理処理部６３）は、ステップＳ１において取得された外部機器の情報を使って、転送するコンテンツデータの解像度が転送先の外部機器が利用可能な解像度に対応するように転送するコンテンツデータの解像度を低解像度に変換する圧縮変換処理を制御し、さらに変換したコンテンツデータの著作権保護のために暗号化処理部５７で暗号化処理を行う。変換されたコンテンツデータは、制御処理部６１（コンテンツ管理処理部６３）の制御により、転送部５９から出力する。外部機器は、本実施の形態の記録再生装置から転送されるコンテンツデータを記憶媒体に記憶し、記憶媒体に記憶されたコンテンツデータを再生することができるようになる。【００７３】
ステップＳ４は、コンテンツ管理処理において外部機器に転送されたコンテンツデータを再生不可とするステップである。コンテンツ管理処理部６３は、ステップＳ３において外部機器に転送されたコンテンツの管理情報５２ａ（図８）属性データを再生不可にし、外部への転送や再生操作ができないようにする。ステップＳ５は、図３に示すフローチャートのステップＳ６に進むステップである。このとき、例えば、転送した外部機器のハードウェアユニークID（固体識別情報）、メディアID、転送したファイルのバイト数、チェックサム値や、転送を行った時刻等を合わせて転送先を識別するための情報として属性管理データに記録する。これにより、以降の外部機器認証ステップで確実に対象機器を識別することが可能となる。【００７４】
図３に示すステップＳ６は、外部機器から転送されるコンテンツデータがあるか否かを制御処理部６１（コンテンツ管理処理部６３）が判別するステップである。制御処理部６１は、外部機器から本実施の形態の記録再生装置にコンテンツデータを転送する要求が入力されると、外部機器がコンテンツが転送しようとしていると判別する。外部機器から転送されるコンテンツデータがある場合はステップＳ７に進む。外部機器から転送されるコンテンツデータがない場合は、本実施の形態の記録再生装置へのコンテンツデータの転送動作を終了する。【００７５】
ステップＳ７は、外部機器から転送されるコンテンツデータが再生不可のコンテンツデータとして管理されているか否かをコンテンツ管理処理部６３が判別するステップである。コンテンツ管理処理は、転送部５９に接続された外部機器からコンテンツデータが転送されるとき、外部機器から入力されたハードウェアＩＤ（Hardware-ID）やメディアＩＤ（Media-ID）などの当該外部機器の個体情報、転送されるコンテンツデータのファイル名等の情報と転送履歴情報、コンテンツ情報記憶部に記憶されたコンテンツ管理情報とを比較し、外部機器から転送されるコンテンツデータが再生不可のコンテンツデータとして管理しているか否かを判別する。外部機器から転送されるコンテンツデータが再生不可のコンテンツデータとして管理されている場合はステップＳ８に進む。外部機器から転送されるコンテンツデータが再生不可のコンテンツデータとして管理されていない場合はステップＳ９に進む。【００７６】
ステップＳ８は、図８においてコンテンツ管理処理が再生不可にしていたコンテンツデータを再生可能とするようにコンテンツ管理情報を更新するステップである。コンテンツ管理処理は、ステップＳ７において、外部機器から転送されるコンテンツデータが、再生不可のコンテンツデータとして管理されていることを判別すると、この再生不可とされたコンテンツの管理情報データを再生可能とするコンテンツ管理情報に書き換える。【００７７】
ステップＳ９は、制御部１１が、外部機器からのコンテンツデータの転送を終了させる制御コマンドを転送部５９経由で外部機器に送信するステップである。外部機器は、コンテンツデータの転送を終了させる制御コマンドが入力すると、本実施の形態の記録再生装置にコンテンツデータの転送を終了し、転送を完了したものとして転送したコンテンツを記憶媒体から削除、もしくは利用不可能な状態にする。【００７８】
ステップＳ１０は、外部機器からコンテンツデータの転送を開始するステップである。図６のコンテンツ管理処理部６３のコンテンツ管理処理６３ａは、外部機器から転送されたコンテンツデータを記録再生部５５に記録するように制御する。ステップＳ１１は、図２に示すフローチャートのステップＳ２に進むステップである。【００７９】
上述した本実施の形態の記録再生装置では、記録再生部５に記録されたコンテンツのうち、外部機器に転送されコンテンツ管理処理６３ａにより再生不可にされたコンテンツデータのファイル名は表示機能６０ｂでは表示されず、外部機器に転送可能なコンテンツデータのファイル名のみを表示機能６０ｂに表示する。このため、ユーザは、外部機器に転送されていないコンテンツデータのみを選択して再生又は外部機器に転送する操作をすることが可能であり、この仕組みによって著作権が保護される。したがって、本実施の形態の記録再生装置は、コンテンツ管理処理部６３が外部機器に転送したコンテンツは外部機器側でのみ再生ができるように管理するため、外部機器に転送されたコンテンツデータの著作権を保護することができる。【００８０】
また、本実施の形態の記録再生装置は、低解像度に変換したコンテンツデータを外部機器に転送した後、この低解像度のコンテンツデータを外部機器から記録再生装置に再度転送する場合、低解像度に変換される前の高解像度のコンテンツデータが再生不可情報として記録再生部５５に残っているため、この再生不可として管理された高解像度のコンテンツデータを再生できるようにコンテンツ情報記憶部のコンテンツ管理情報を書き換える。このため、本実施の形態の記録再生装置は、外部機器から低解像度のコンテンツデータが転送され戻ってくる場合であっても、当該コンテンツのデータを低解像度のコンテンツデータに変換する前の高解像度のコンテンツデータにすることができ、転送時の解像度の変換によりコンテンツデータの画質が劣化したものを視聴することになるという問題を避けることができる。【００８１】
さらに、このような管理手法をより厳密に行うことで、例えば図１２〜１４に示すように、記録された著作権保護が必要なコンテンツの一部だけを外部機器に転送する場合には、転送していない残りの部分の視聴が可能な状態で管理することを可能とできる。すなわち、視聴途中のコンテンツの未視聴区間の開始と終了のポイントを独立した要素として管理を行い、コンテンツ移動処理における管理をより細かく厳密に行うようにしてもよい。例えば、記録再生装置において途中まで視聴されたコンテンツについて、未視聴部分を一時停止ポインターと視聴終了位置ポインターで管理する。ムーブ処理においては、当該コンテンツについて未視聴部分を外部機器に転送する（図１３）。このとき、転送部分（未視聴部分）については、再生（視聴）不可とするとともに、非転送部分（視聴済み部分）については、再生可能とする（図１４）。このような構成により、例えば過程の記録再生機器に記録したコンテンツデータのうち、ユーザが一部を視聴した後、外出先で外部機器を用いて残りを視聴することが可能となる。このとき、外部機器から記録再生機器にデータを戻す場合においても、即時にムーブバックは完了し、記録再生装置においてオリジナルの解像度が保たれることとなる。
【産業上の利用可能性】
【００８２】
本発明は、著作権保護を遵守しながら、コンテンツデータをそれぞれの機器で最適な高画質を保ちつつ記録再生装置と外部機器の間で幾度でもやり取り(移動処理)を行うことが可能な、受信した放送番組の映像信号及びオーディオ信号を記録媒体に記録し再生する記録再生装置及び記録再生方法として、極めて広い産業上の利用可能性がある。
【図１】
2006112046.tif 000002
【図２】
2006112046.tif 000003
【図３】
2006112046.tif 000004
【図４】
2006112046.tif 000005
【図５】
2006112046.tif 000006
【図６】
2006112046.tif 000007
【図７】
2006112046.tif 000008
【図８】
2006112046.tif 000009
【図９】
2006112046.tif 000010
【図１０】
2006112046.tif 000011
【図１１】
2006112046.tif 000012
【図１２】
2006112046.tif 000013
【図１３】
2006112046.tif 000014
【図１４】
2006112046.tif 000015
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
放送番組のコンテンツデータを受信する受信部と前記受信部が受信したコンテンツデータを記録媒体に記録し、前記記録媒体に記録されたコンテンツデータを再生する記録再生部を備えた記録再生装置であって、
前記記録再生部に記録されたコンテンツデータに解像度の変換処理を行う変換部と、前記変換部から出力されたコンテンツデータを外部機器に／から出力／入力する機能を有する転送部と、前記記録再生部に記録されたコンテンツデータを管理するコンテンツ管理部とを備え、前記コンテンツ管理部は、外部機器に複製が禁止されているコンテンツデータを転送する場合に、転送の際に前記記録再生部における当該コンテンツデータの再生を不可とするように当該コンテンツデータを管理し、もし外部機器から転送されるコンテンツデータが、かつて前記記録再生部から前記外部機器に転送したコンテンツデータであり、かつ、前記記録再生部内で再生不可の状態となっているコンテンツデータである場合には、前記記録再生部内の当該コンテンツデータの再生を可能とするコンテンツデータの管理を行うことを特徴とする記録再生装置。
【請求項２】
もし外部機器から転送されるコンテンツデータが、かつて前記記録再生部から外部機器に転送したコンテンツデータであり、かつ、前記記録再生部内で再生不可の状態となっているコンテンツデータである場合には、前記外部機器内の転送コンテンツデータを消去あるいは再生不可な状態にするとともに前記記録再生部内の当該コンテンツデータの再生を可能とするコンテンツデータの管理を行うことを特徴とする請求項１に記載の記録再生装置。
【請求項３】
前記変換部から出力されたコンテンツデータを取り外し可能な記録媒体に変換記録する記録装置を有し、前記記録再生部に記録されたコンテンツデータを前記コンテンツ管理部が管理して、前記コンテンツ管理部は、複製の作成が禁止されているコンテンツデータを前記取り外し可能な記録媒体に転送する場合に、転送するとともに前記記録再生部の当該コンテンツデータの再生を不可とするように当該コンテンツデータを管理し、もし取り外し可能な記録媒体から前記記録再生部に転送されるコンテンツデータが、同部から転送したコンテンツデータであり、かつ、前記記録再生部内で再生不可の状態となっているコンテンツデータである場合に、前記取り外し可能な記録媒体内の当該コンテンツデータを消去あるいは再生不可の状態にするとともに前記記録再生部内の当該コンテンツデータの再生を可能とするコンテンツデータの管理を行うことを特徴とする請求項１に記載の記録再生装置。
【請求項４】
放送番組のコンテンツデータを受信し前記受信したコンテンツデータを記録し、前記記録されたコンテンツデータを再生する記録再生装置における記録再生方法であって、
前記記録再生されたコンテンツデータに解像度の変換処理を行うステップと、前記変換処理されたコンテンツデータを外部機器に／から出力／入力するステップと、前記記録再生されたコンテンツデータを管理するステップと外部機器に複製が禁止されているコンテンツデータを転送する場合に、転送の際に当該コンテンツデータの再生を不可とするように当該コンテンツデータを管理するステップと、もし外部機器から転送されるコンテンツデータが、かつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行うステップを有することを特徴とする記録再生方法。
【請求項５】
もし外部機器から転送されるコンテンツデータが、かつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行うステップを有することを特徴とする請求項４に記載の記録再生方法。
【請求項６】
前記変換処理されたコンテンツデータを取り外し可能な記録媒体に変換記録する場合には、前記記録再生されたコンテンツデータを管理して、複製の作成が禁止されているコンテンツデータを前記取り外し可能な記録媒体に転送する場合に、転送するとともに当該コンテンツデータの再生を不可とするように当該コンテンツデータを管理するステップと、もし取り外し可能な記録媒体から前記記録再生装置に転送されるコンテンツデータが、同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行うステップを有することを特徴とする請求項４に記載の記録再生方法。
【手続補正２】
【補正対象書類名】明細書
【補正対象項目名】全文
【補正方法】変更
【補正の内容】
【書類名】明細書
【発明の名称】記録再生装置及び記録再生方法
【技術分野】
【０００１】
本発明は、受信した放送番組の映像信号及びオーディオ信号を記録媒体に記録し再生する記録再生装置及び記録再生方法に関する。
【背景技術】
【０００２】
テレビ放送局から送信された放送番組情報を受信し、受信した放送番組コンテンツの映像信号及びオーディオ信号をデジタル化したもの（以下、コンテンツデータという）を装置内部の記録媒体に記録し再生する記録再生装置がある。この記録再生装置は、コンテンツデータをHD（Hard Disk）などの記録媒体にデジタル信号で記録し、記録媒体に記録されたコンテンツデータを再生する。このような記録再生装置には、外部機器（例えば、携帯型の再生装置）を接続し、この外部機器に記録媒体に記録されたコンテンツデータを転送することができるもの、或いは取り外し可能な記録媒体に記録されたコンテンツデータを転送できるものもある。
【０００３】
このようなデジタル信号により記録されたコンテンツデータは、他の記録媒体にデジタル信号のままの状態で複製（デジタルコピー）すると、画質や音質の劣化なしにコンテンツデータの複製をすることができる。このため、従来よりコンテンツデータの著作権を保護するために、デジタルコピーができる回数を制限する情報や複製を禁止する情報などの管理情報がコンテンツデータに付されている。
【０００４】
従来の記録再生装置において、コンテンツを取り外し可能な記録媒体や外部機器に転送するとき、転送するコンテンツデータの著作権を保護することができる装置が、例えば特開２００２‐２３８０２３号公報に開示されている。この特許文献に開示された装置では、第１の記録媒体に記録されたコンテンツデータを取り外し可能な記録媒体や外部機器の第２の記録媒体にコピーした後、第１の記録媒体からコピーしたコンテンツデータを削除する（以降これをMove処理と呼ぶ）ことにより、コンテンツデータの著作権を保護する。
【０００５】
従来の記録再生装置は、当該記録再生装置に記録されたコンテンツを取り外し可能な記録媒体や外部機器に転送するとき、外部機器の表示機能が記録再生装置から転送されるコンテンツデータの解像度に対応していない場合、すなわち、外部機器に転送しようとするコンテンツデータの映像信号の解像度が外部機器が再生できる解像度よりも高い場合には、転送するコンテンツデータの解像度を低解像度コンテンツデータに変換し、変換したコンテンツデータを外部機器に転送する、一般にこの変換処理は劣化を伴う不可逆変換である。
【０００６】
また、転送先で解像度が対応している場合であっても圧縮方式が異なる場合には同様に変換処理が必要であり、多くの場合この変換においても画質の劣化を伴う。
【０００７】
上述した従来の記録再生装置において、解像度変更などの変換処理を施して外部機器や取り外し可能な記録媒体に移動されたコンテンツをユーザが視聴した後もしくは途中まで視聴した時点で、当該コンテンツを記録再生装置に再度移動して戻す場合がある。この場合、従来の方法では記録再生装置から外部機器に転送したコンテンツが低解像度に変換されたコンテンツデータのとき、外部機器から記録再生装置に再度転送され戻るコンテンツは低解像度のコンテンツデータとなる。ただし、著作権保護のために外部機器に転送したコンテンツデータの複製作成は禁止されているので記録再生装置内のコンテンツは既に削除されており、ここで記録再生装置に戻ってくるコンテンツは、外部機器に転送した低解像度のコンテンツデータであり、従来の方法ではこれを記録再生装置内の記録媒体に記録することになる。
【０００８】
したがって、最初に記録再生装置に記録された時点では高解像度のコンテンツであったものが、取り外し可能な記録媒体や外部機器に移動され、さらに取り外し可能な記録媒体や外部機器から記録再生装置に再度転送して戻されると低解像度に変換されたコンテンツになってしまう。このため、記録再生装置から外部機器や取り外し可能な記録媒体にいったん移動してから記録再生装置に戻したコンテンツを再生する場合、変換により画質が劣化したコンテンツデータを再生することになる。このことは、移動を繰り返す度に画像が劣化するという問題が生じることも意味する。
【発明が解決しようとする課題】
【０００９】
本発明は、外部機器や記録媒体との間で著作権保護が必要なコンテンツの移動を繰り返しても、同コンテンツをそれぞれの環境において可能な限り著作者の意図に忠実であるよう高品位な再生視聴が続けられるようにという趣旨のもとに、上述の問題を解決するためになされたものであり、低解像度に変換した高解像度コンテンツを記録再生装置から外部機器や取り外し可能な記録媒体に転送し、この外部機器や取り外し可能な記録媒体から記録再生装置に当該コンテンツを再度転送し戻す場合に、記録再生装置においては当該コンテンツを低解像度のコンテンツデータに変換する前の高解像度のコンテンツデータで再生することができ、かつ、記録再生装置に記録され外部機器に転送されるコンテンツの著作権を保護管理することができる記録再生装置及び記録再生方法を提供することを課題とする。
【発明の開示】
【００１０】
上記の課題を解決するために、本願に記載の発明では、放送番組のコンテンツデータを受信する受信部と前記受信部が受信したコンテンツデータを記録媒体に記録し、前記記録媒体に記録されたコンテンツデータを再生する記録再生部を備えた記録再生装置であって、前記記録再生部に記録されたコンテンツデータに解像度の変換処理を行う変換部と、前記変換部から出力されたコンテンツデータを外部機器に／から出力／入力する機能を有する転送部と、前記記録再生部に記録されたコンテンツデータを管理するコンテンツ管理部とを備え、前記コンテンツ管理部は、外部機器に複製が禁止されているコンテンツデータを転送する場合に、転送の際に前記記録再生部における当該コンテンツデータの再生を不可とするように当該コンテンツデータを管理し、もし外部機器から転送されるコンテンツデータがかつて前記記録再生部から前記外部機器に転送したコンテンツデータであり、かつ、前記記録再生部内で再生不可の状態となっているコンテンツデータである場合には、前記記録再生部内の当該コンテンツデータの再生を可能とするコンテンツデータの管理を行う記録再生装置とする。
【００１１】
これによって、記録再生装置から低解像度に変換したコンテンツを外部機器に転送し、その外部機器から記録再生装置に当該コンテンツを再度転送し戻す場合であっても、記録再生装置にコンテンツが戻った状態では当該コンテンツを低解像度のコンテンツデータに変換する前の高解像度コンテンツデータを利用して再生することができ、著作権保護を遵守しながらも、コンテンツをそれぞれの機器で最適な高画質を保ちつつ記録再生装置と外部機器の間で幾度でもコンテンツのやり取り(移動処理)をすることが可能とできる。
【００１２】
また、本発明では外部装置から記録再生装置にコンテンツを戻す移動処理を行う際に、当該コンテンツのデータ全てを転送する必要は無いため、一瞬でコンテンツの移動処理を完了可能とすることもできる。
【００１３】
さらに、もし外部機器から転送されるコンテンツデータがかつて前記記録再生部から外部機器に転送したコンテンツデータであり、かつ、前記記録再生部内で再生不可の状態となっているコンテンツデータである場合には、前記外部機器内の転送コンテンツデータを消去あるいは再生不可な状態にするとともに前記記録再生部内の当該コンテンツデータの再生を可能とするコンテンツデータの管理を行う記録再生装置とすれば、外部機器に関する著作権遵守管理も完璧とできる。
【００１４】
さらに、前記変換部から出力されたコンテンツデータを取り外し可能な記録媒体に変換記録する記録装置を有し、前記記録再生部に記録されたコンテンツデータを前記コンテンツ管理部が管理して、前記コンテンツ管理部は、複製の作成が禁止されているコンテンツデータを前記取り外し可能な記録媒体に転送する場合に、転送するとともに前記記録再生部の当該コンテンツデータの再生を不可とするように当該コンテンツデータを管理し、もし取り外し可能な記録媒体から前記記録再生部に転送されるコンテンツデータが同部から転送したコンテンツデータであり、かつ、前記記録再生部内で再生不可の状態となっているコンテンツデータである場合に、前記取り外し可能な記録媒体内の当該コンテンツデータを消去あるいは再生不可の状態にするとともに前記記録再生部内の当該コンテンツデータの再生を可能とするコンテンツデータの管理を行う記録再生装置とすれば、取り外し可能な記録媒体に変換記録する記録装置を有する記録再生装置においても、その取り外し可能な記録媒体との間での著作権保護を遵守しながら、コンテンツを最適な高画質を保ちつつ幾度でもコンテンツのやり取りをすることを可能とできる。
【００１５】
さらに、放送番組のコンテンツデータを受信し前記受信したコンテンツデータを記録し、前記記録されたコンテンツデータを再生する記録再生装置における記録再生方法であって、前記記録再生されたコンテンツデータに解像度の変換処理を行うステップと、前記変換処理されたコンテンツデータを外部機器に／から出力／入力するステップと、前記記録再生されたコンテンツデータを管理するステップと外部機器に複製が禁止されているコンテンツデータを転送する場合に、転送の際に当該コンテンツデータの再生を不可とするように当該コンテンツデータを管理するステップと、もし外部機器から転送されるコンテンツデータが、かつて前記記録再生装置から前記外部機器に転送したコンテンツデータであり、かつ、前記記録再生装置内で再生不可の状態となっているコンテンツデータである場合には、前記記録再生装置内の当該コンテンツデータの再生を可能とするコンテンツデータの管理を行うステップを有することを特徴とする。
【００１６】
これによって、記録再生装置から低解像度に変換したコンテンツを外部機器に転送し、その外部機器から記録再生装置に当該コンテンツを再度転送し戻す場合であっても、記録再生装置にコンテンツが戻った状態では当該コンテンツを低解像度のコンテンツデータに変換する前の高解像度コンテンツデータを利用して再生することができ、著作権保護を遵守しながらも、コンテンツをそれぞれの機器で最適な高画質を保ちつつ記録再生装置と外部機器の間で幾度でもコンテンツのやり取り(移動処理)をすることが可能とできる。
【００１７】
さらに、もし外部機器から転送されるコンテンツデータが、かつて前記記録再生装置から外部機器に転送したコンテンツデータであり、かつ、前記記録再生装置内で再生不可の状態となっているコンテンツデータである場合には、前記外部機器内の転送コンテンツデータを消去あるいは再生不可な状態にするとともに前記記録再生装置内の当該コンテンツデータの再生を可能とするコンテンツデータの管理を行うステップを有することを特徴とする記録再生方法とすれば、外部機器に関する著作権遵守管理も完璧とできる。
【００１８】
さらに、前記変換処理されたコンテンツデータを取り外し可能な記録媒体に変換記録する場合には、前記記録再生されたコンテンツデータを管理して、複製の作成が禁止されているコンテンツデータを前記取り外し可能な記録媒体に転送する場合に、転送するとともに当該コンテンツデータの再生を不可とするように当該コンテンツデータを管理するステップと、もし取り外し可能な記録媒体から前記記録再生装置に転送されるコンテンツデータが、同装置から転送したコンテンツデータであり、かつ、前記記録再生装置内で再生不可の状態となっているコンテンツデータである場合に、前記取り外し可能な記録媒体内の当該コンテンツデータを消去あるいは再生不可の状態にするとともに前記記録再生装置内の当該コンテンツデータの再生を可能とするコンテンツデータの管理を行うステップを有することを特徴とする記録再生方法とすれば、取り外し可能な記録媒体に変換記録する記録装置を有する記録再生装置においても、その取り外し可能な記録媒体との間での著作権保護を遵守しながら、コンテンツを最適な高画質を保ちつつ幾度でもコンテンツのやり取りをすることを可能とできる。
【発明を実施するための最良の形態】
【００１９】
以下、本発明の実施の形態を図面に基づいて説明する。
【００２０】
（第一の実施の形態）
図１は、本発明の第一の実施の形態である記録再生装置の構成を示すブロック図である。図１において、１は受信部、２はＮＴＳＣ（National Television Standards Committee）デコード部、３はＡＴＳＣ（Advanced Television Systems Committee）フロントエンド部、４はＭＰＥＧ（Moving Picture Experts Group）エンコード部、５は記録再生部、６はＭＰＥＧデコード部、７は映像信号処理部、８はオーディオ信号処理部、９は転送部、１０は操作部、１１は制御部、１２は変換部、１３はコンテンツ管理部を示す。
【００２１】
図１に示す受信部１は、アナログテレビ放送やデジタルテレビ放送の放送番組情報を受
信する。受信部１は、受信したアナログテレビ放送の放送番組情報のコンテンツデータをＮＴＳＣデコード部２に出力する。また、受信部１は、受信したデジタルテレビ放送のＭＰＥＧ方式により圧縮されたコンテンツデータをＡＴＳＣフロントエンド部３に出力する。
【００２２】
ＮＴＳＣデコード部２は、入力されたコンテンツデータをデジタルデータに変換し、ＮＴＳＣ方式のコンテンツデータ（デジタル映像信号及びデジタルオーディオ信号）に復調しＭＰＥＧエンコード部４に出力する。ＡＴＳＣフロントエンド部３は、入力されたコンテンツデータをビットストリームデータに変換し記録再生部５に出力する。ＭＰＥＧエンコード部４は、ＮＴＳＣデコード部２から入力されたコンテンツデータをＭＰＥＧ方式の圧縮アルゴリズムにより圧縮する処理を施す。
【００２３】
記録再生部５は、HD等の記録媒体を備え、ＡＴＳＣフロントエンド部３及びＭＰＥＧエンコード部４から入力されたＭＰＥＧ方式で圧縮されたコンテンツデータを記録媒体に記録する。また、記録再生部５は、制御部１１の制御により記録媒体に記録されたコンテンツデータを再生する。
【００２４】
ＭＰＥＧデコード部６は、記録再生部５から再生されたコンテンツデータをＭＰＥＧ方式の伸長アルゴリズムにより伸長する処理を施す。伸長処理されたデジタル映像信号は、映像信号処理部７に出力され、伸長処理されたデジタルオーディオ信号は、オーディオ信号処理部８に出力される。
【００２５】
映像信号処理部７は、デジタル映像信号をアナログ信号に変換し、エンファシス等の処理をする。オーディオ信号処理部８はデジタルオーディオ信号をアナログ信号に変換し、増幅等の処理をする。アナログ信号に変換された映像信号及びオーディオ信号は、それぞれ出力端子に接続された図示しない表示装置及びスピーカから出力される。
【００２６】
転送部９は、外部機器（例えば、携帯型の再生装置）と接続し、本実施の形態の記録再生装置と外部機器の間でコンテンツデータを転送するためのインターフェース（例えば、USBなど）である。また、転送部９は、外部機器が接続されると、外部機器の情報（例えば、解像度情報、識別情報など）を接続された外部機器から入力する。入力された外部機器の情報は、制御部１１に入力される。本実施の形態の記録再生装置は、記録再生部５に記録されたコンテンツデータを転送部９に接続された外部機器に転送することができ、また、外部機器から転送されたコンテンツデータを記録再生部５に記録することができる。
【００２７】
操作部１０は、受信したコンテンツデータを記録媒体に記録する操作、記録媒体に記録されたコンテンツデータを再生する操作、転送するコンテンツデータを選択する操作などの本実施の形態の記録再生装置を操作するための操作ボタン及び操作ボタンの操作内容を表示する表示部を備える。制御部１１は、操作部１０の操作指示に応じて、コンテンツデータの記録媒体への記録、記録媒体に記録されたコンテンツデータの再生、コンテンツデータの転送等の装置全体を制御する。また、制御部１１は、転送部９から入力された外部機器の情報に基づいて、転送部９に接続された外部機器の認証をする。
【００２８】
変換部１２は、制御部１１の制御により、外部機器に転送するコンテンツデータの解像度を低解像度に変換し転送部９に出力する。制御部１１は、転送するコンテンツデータの解像度やデータサイズと転送部９から入力された外部機器の情報に基づいて変換部１２を制御する。
【００２９】
コンテンツ管理部１３は、記録再生部５に記録されたコンテンツデータを管理する。コンテンツ管理部１３は、記録再生部５に記録されたコンテンツデータが外部機器に転送されると、当該コンテンツデータを記録再生部５から消去せずに、記録再生部５が転送されたコンテンツデータを再生することができないように当該コンテンツデータを再生不可のコンテンツデータとして管理する。コンテンツ管理部１３は、図示しないコンテンツ情報記憶部を備え、記録再生部５に記録されているコンテンツデータ毎に、コンテンツデータの再生可能又は再生不可の情報、コンテンツデータのファイル名情報、コンテンツデータの転送先の外部機器の情報等のコンテンツに関する情報（以下、コンテンツ情報という）をコンテンツ情報記憶部に記憶する。
【００３０】
コンテンツ管理部１３は、転送部９に接続された外部機器からコンテンツデータが転送されるとき、当該外部機器の情報、転送されるコンテンツデータのファイル名等の情報と上述したコンテンツ情報記憶部に記憶されたコンテンツ情報を比較し、外部機器から転送されるコンテンツデータが再生不可のコンテンツデータとして管理されているか否かを判別する。
【００３１】
コンテンツ管理部１３は、外部機器から転送されるコンテンツデータのコンテンツ情報がコンテンツ情報記憶部に記憶された情報と一致した場合、当該コンテンツデータが再生不可のコンテンツデータとして管理されていることを判別し、この再生不可のコンテンツデータを再生可能とするようにコンテンツ情報を書き換える。また、コンテンツ管理部１３は、外部機器から転送されるコンテンツデータに関する情報（当該外部機器の情報、ファイル名等の情報）がコンテンツ情報記憶部に記憶された情報と一致しない場合、当該コンテンツデータが再生不可のコンテンツデータとして管理されていないコンテンツデータと判別し、当該外部機器から転送されるコンテンツデータのコンテンツ情報を新たに追加する。
【００３２】
なお、上記において、コンテンツ管理部１３は、制御部１１とは分離して示したが、制御部１１の一部としてコンテンツ管理部１３を考えることもできる。
【００３３】
次に、本実施の形態の記録再生装置のコンテンツデータの転送動作を説明する。図２及び図３は、本実施の形態の記録再生装置のコンテンツデータの転送動作を説明するフローチャートである。
【００３４】
図２に示すステップＳ１は、制御部１１が転送部９に接続された外部機器を認証する制御をするステップである。制御部１１は、転送部９から入力された外部機器の情報から、転送部９に接続された外部機器を認証する。
【００３５】
ステップＳ２は、コンテンツデータを外部機器に転送するか否かを制御部１１が判別するステップである。操作部１０の表示部は、制御部１１の制御により、転送可能（再生可能）なコンテンツデータのファイル名を表示し、外部機器に転送されコンテンツ管理部１３により再生不可とされたコンテンツデータのファイル名を表示しない。このため、ユーザは、操作部１０を操作し表示部に表示された転送可能なコンテンツデータを選択することができる。制御部１１は、操作部１０からユーザが選択したコンテンツデータを外部機器に転送する操作指示の有無により、コンテンツデータを外部機器に転送するか否かを判別する。コンテンツデータを外部機器に転送する場合はステップＳ３に進む。コンテンツデータを外部機器に転送しない場合はステップＳ５に進む。
【００３６】
ステップＳ３は、ステップＳ２で選択されたコンテンツデータを外部機器に転送するステップである。制御部１１は、記録再生部５にステップＳ２で選択されたコンテンツデータを読み出す制御をし、読み出したコンテンツデータを変換部１２に出力する制御をする。制御部１１は、ステップＳ１において入力された外部機器の情報から、転送するコンテンツデータの解像度が転送先の外部機器の解像度に対応するように変換部１２を制御する。変換部１２は、制御部１１の制御により、外部機器に転送するコンテンツデータの解像度を低解像度に変換し転送部９に出力する。外部機器は、本実施の形態の記録再生装置から転送されたコンテンツデータを記憶媒体に記憶し、記憶媒体に記憶されたコンテンツデータを再生することができる。
【００３７】
ステップＳ４は、コンテンツ管理部１３が外部機器に転送されたコンテンツデータを再生不可とするステップである。コンテンツ管理部１３は、ステップＳ３において外部機器に転送されたコンテンツデータを再生不可とし、記録再生部５から再生されないようにする。ステップＳ５は、図３に示すフローチャートのステップＳ６に進むステップである。
【００３８】
図３に示すステップＳ６は、外部機器から転送されるコンテンツデータがあるか否かを制御部１１が判別するステップである。制御部１１は、外部機器から本実施の形態の記録再生装置にコンテンツデータを転送するコマンドが入力されると、外部機器から転送されるコンテンツデータがあると判別する。外部機器から転送されるコンテンツデータがある場合はステップＳ７に進む。外部機器から転送されるコンテンツデータがない場合は、本実施の形態の記録再生装置のコンテンツデータの転送動作を終了する。
【００３９】
ステップＳ７は、外部機器から転送されるコンテンツデータが再生不可のコンテンツデータとして管理されているか否かをコンテンツ管理部１３が判別するステップである。コンテンツ管理部１３は、転送部９に接続された外部機器からコンテンツデータが転送されるとき、外部機器から入力された当該外部機器の情報、転送されるコンテンツデータのファイル名等の情報とコンテンツ情報記憶部に記憶されたコンテンツ情報を比較し、外部機器から転送されるコンテンツデータが再生不可のコンテンツデータとして管理されているか否かを判別する。外部機器から転送されるコンテンツデータが再生不可のコンテンツデータとして管理されている場合はステップＳ８に進む。外部機器から転送されるコンテンツデータが再生不可のコンテンツデータとして管理されていない場合はステップＳ１０に進む。
【００４０】
ステップＳ８は、コンテンツ管理部１３が再生不可のコンテンツデータを再生可能とするようにコンテンツ情報を管理するステップである。コンテンツ管理部１３は、ステップＳ７において、外部機器から転送されるコンテンツデータが再生不可のコンテンツデータとして管理されていることを判別すると、この再生不可とされたコンテンツデータを再生可能とするコンテンツ情報に書き換える。
【００４１】
ステップＳ９は、外部機器にコンテンツデータの転送を中止させる制御コマンドを転送部９から送信する制御を制御部１１がするステップである。このとき、制御部１１は、外部機器に対しコンテンツデータの転送を終了させる制御コマンドを送信する。外部機器は、転送すべきコンテンツデータを外部機器の記憶媒体から削除、もしくは外部機器で利用不可能な状態にする。
【００４２】
ステップＳ１０は、外部機器からコンテンツデータの転送を開始するステップである。制御部１１は、外部機器から転送されたコンテンツデータを記録再生部５に記録するように制御する。ステップＳ１１は、図２に示すフローチャートのステップＳ２に進むステップである。
【００４３】
上述した本実施の形態の記録再生装置では、記録再生部５に記録されたコンテンツデータにおいて、外部機器に転送されコンテンツ管理部１３により再生不可とされたコンテンツデータのファイル名は表示部に表示されず、外部機器に転送されていないコンテンツデータのファイル名を表示部に表示する。このため、ユーザは、外部機器に転送されていないコンテンツデータのみを選択して再生又は外部機器に転送する操作をする。したがって、本実施例の記録再生装置は、コンテンツ管理部１３が外部機器に転送されたコンテンツデータを記録再生部５からの再生ができないように管理するため、外部機器に転送されたコンテンツデータの著作権を保護することができる。
【００４４】
また、本実施の形態の記録再生装置は、低解像度に変換したコンテンツデータを外部機器に転送した後、この低解像度のコンテンツデータを外部機器から記録再生装置に再度転送する場合、低解像度に変換される前の高解像度のコンテンツデータが再生不可として記録再生部５に記録されているため、この再生不可とされた高解像度のコンテンツデータを再生できるようにコンテンツ情報記憶部のコンテンツ情報を書き換える。このため、本実施の形態の記録再生装置は、外部機器から低解像度のコンテンツデータが転送される場合であっても、当該コンテンツデータを低解像度のコンテンツデータに変換する前の高解像度のコンテンツデータにすることができ、転送時の解像度の変換によるコンテンツデータの画質が劣化することを防ぐことができる。
【００４５】
（第二の実施の形態）
第一の実施の形態の構成と対応する部分には、基本的に第一の実施の形態の構成に５０を加えた符号をつけて示し説明する。図４は、本発明の第二の実施の形態である記録再生装置のハードウェアの構成を示すブロック図である。図４において、５１は、アンテナ又はＣＡＴＶ線からの電波５０を受信するテレビジョン放送受信部、５２は復号化部、５３は記録再生部５５に対する暗号化および復号化部、５４はＭＰＥＧ（Moving Picture Experts Group）圧縮変換(TransCode or Decode+Encode)部、５５は記録再生部、５６はＭＰＥＧデコーダー部、５７は著作権保護のための暗号化処理部、５９は外部機器との通信と転送を扱う転送部、６１はコンテンツ管理部を含む中央制御処理部(CPU)、６０は操作部、６２は特有のハードウェアＩＤを含むＲＯＭ、６４は取り外し可能（Removal）な記録媒体の記録再生部を示す。
【００４６】
図４に示すテレビジョン放送受信部５１は、アナログテレビ放送やデジタルテレビ放送と放送番組情報を受信する。受信部５１は、受信したテレビ放送の番組が暗号化(Scrambled)されていれば契約情報に基づき復号化(De-Scramble)部５２で復号化したコンテンツデータを暗号化および復号化部５３で暗号化した上で内蔵された記録媒体を有する記録再生部５５に記録する。復号化されたコンテンツデータ、もしくは一旦記録再生部に記録されてから読み出されたコンテンツデータは、外部機器に転送もしくは取り外し可能な記録媒体に移動する際には、圧縮変換部５４を経由し転送先が許容する形式に圧縮変換を行う。この際転送するコンテンツに著作権の保護が必要であれば暗号化処理部５７で暗号化してから出力する。また、ＭＰＥＧデコーダー部５６は、受信したデジタルテレビ放送のコンテンツデータを映像と音声にデコードして再生出力する。
【００４７】
コンディショナルアクセスコントロール部である復号化部５２は、視聴制限のためにスクランブル処理された番組をＣＡＳ（Conditional Access System）カードやOpenCable（登録商標）POD（Point of Deployment）モジュールに設定された契約条件に従って復号化し、これをＭＰＥＧのデコーダー部５６でデコードできるデジタル形式のコンテンツデータに変換する。
【００４８】
記録再生部５５は、HD等の記録媒体を備え、テレビジョン放送受信部５１で受信され復号化部５２で復号化されたコンテンツデータを著作権保護のために暗号化および復号化部５３で暗号処理を行い記録再生部５５の記録媒体に記録する。こうすることで、万一機器が分解され直接記録媒体が読み出されようとしたとしても暗号化されているので記録されたコンテンツの著作権を保護できる。再生時および転送時に記録再生部５５から読み出された情報は、中央制御処理部６１の制御により暗号化および復号化部５３で記録再生部５５の記録媒体に記録されたコンテンツの当該データを暗号化および復号化部５３で暗号化する前の状態、すなわちコンテンツデータに再現する。
【００４９】
ＭＰＥＧのデコーダー部５６は、記録再生部５５から再生されているコンテンツデータをＭＰＥＧ方式の伸長アルゴリズムにより伸長する処理を施す。伸長処理されたデジタル映像と音声信号は機器から出力され、それぞれ出力端子に接続された図示しない表示装置及びスピーカから出力されることで利用者が視聴することが可能となる。
【００５０】
圧縮変換部５４は、ＭＰＥＧなどの方式で圧縮された高解像度のコンテンツデータを低解像度な画像にすることや、より圧縮度が高い方式に変換することで、外部機器や取り外し可能な記録媒体が利用可能なフォーマットに変換を行う。この処理には既に多くの方式が考案されており例えばデジタル映像と音声信号を機器内部で一旦アナログ信号に変換し、これをデジタイズして再度異なる方式で圧縮することでも圧縮フォーマット変換を行うことでも可能である。
【００５１】
著作権保護が必要なコンテンツを外部機器や取り外し可能な記録媒体に移動する場合には、暗号化処理部５７は例えばＣＰＲＭで定められた方式に従って出力するデーターの暗号化を行う。この方式に対応した記録媒体はすでに市販されており、図１０に示すような構造により完全な複製が不可能で、かつディスク一枚一枚の個体認識が可能となっている。
【００５２】
転送部５９は、外部機器（例えば、携帯型の再生装置）と接続し、本実施の形態の記録再生装置と外部機器の間でコンテンツを転送するための物理インターフェース（例えば、ＵＳＢなど）を有す。また、転送部５９は、外部機器が接続されると、外部機器の情報（例えば、解像度情報、個体識別情報など）を接続された外部機器から取得する。取得した外部機器の情報は、中央制御処理部６１に入力される。本実施の形態の記録再生装置は、記録再生部５５に記録されたコンテンツを転送部５９に接続された外部機器に転送することができ、また、外部機器から転送されたコンテンツデータを記録再生部５５に記録することもできる。
【００５３】
操作部６０は、受信したコンテンツデータを記録媒体に記録する操作、記録媒体に記録されたコンテンツデータを再生する操作、転送するコンテンツデータを選択する操作などの本実施の形態の記録再生装置を操作するための操作ボタン及び操作ボタンの操作内容を表示する表示部を備える。中央制御処理部６１は、操作部６０の操作指示に応じて、コンテンツデータの記録媒体への記録、記録媒体に記録されたコンテンツデータの再生、コンテンツデータの転送等の装置全体を制御する。また、中央制御処理部６１は、転送部５９を通じ外部機器から取得された外部機器の個体情報に基づいて、転送部５９に接続された外部機器の認証をする。
【００５４】
中央制御処理部６１は圧縮変換部５４を制御し、外部機器に転送するコンテンツデータの解像度を低解像度に変換して転送部５９から出力させる。中央制御処理部６１は、転送するコンテンツデータの解像度やデータサイズを転送部５９から入力された外部機器の情報に基づいて変換するように圧縮変換部５４を制御する。
【００５５】
図５に本記録再生装置から外部機器に転送を行う手順例を説明している。
【００５６】
まず、図５中、放送波を受信した記録再生装置（図中、ハードディスクレコーダユニットとして例示）は、当該コンテンツデータ（コンテンツ１）を記録媒体に記録する（ステップ１）。記録されたデータは、放送信号に対応した解像度の高いデータである。
【００５７】
本例において、記録されたコンテンツデータを外部機器（図中、ポータブルメディア）にいわゆるムーブ処理する場合、記録されたコンテンツデータの低解像度での外部機器への転送と、記録再生装置に記録されたオリジナルデータの属性変更と、が行われる（ステップ２）。転送速度、外部機器の記録容量等に合わせ、コンテンツデータは記録再生装置において圧縮（コード変換）され、相対的に低い解像度で外部機器に転送される。従って、外部機器には、相対的に低い解像度で記録される。
【００５８】
一方、本例において、記録再生装置に記録されたオリジナルのデータは、従来機器のように削除されることなく、再生不可の状態で記録媒体に保存される（ステップ３）。外部機器に記録された同一データを記録再生装置に転送する場合には(いわゆるムーブバック)、記録再生装置は以前同一の外部機器にムーブしたコンテンツデータであることを確認し、再生不可状態で保存されているデータの管理情報（属性情報）を再生可能状態とする。すなわち、外部機器から実際のデータ転送（ムーブ処理）は必要とされない。これにより、記録再生装置においてコンテンツ１は待ち時間（転送処理時間）なしに、即時に再生可能となる。さらに、外部機器に記録されたデータは低解像度であるのに対し、記録再生装置においては元の（高解像度）状態での再生が可能である。
【００５９】
図６は、本実施の形態の記録再生装置におけるコンテンツ管理を実現する処理の構成例を示す説明図である。図４の構成と対応する処理については、同番号に小文字のアルファベットをつけて示す。
【００６０】
図６でのコンテンツ管理処理部６３で実行されるコンテンツ管理処理は、記録再生部５５に記録されたコンテンツデータを例えば図１１に示すようなコンテンツ管理テーブルの構造で管理する。コンテンツ管理処理は、著作権保護が必要な記録再生部５５に記録されたコンテンツを外部機器に転送する場合に、当該コンテンツデータを記録再生部５５上から消去はせずに、記録再生部５５が転送済みのコンテンツを再生することができないように当該コンテンツデータの管理属性を再生不可のコンテンツとして管理する。
【００６１】
コンテンツ管理処理は、例えば図１１に示すようなコンテンツ管理情報テーブルを構築し、記録再生部５５に記録されているコンテンツデータ毎に、コンテンツデータが再生可能又は再生不可の情報、コンテンツデータのファイル名情報、コンテンツデータを転送した転送先の外部機器の個体情報等のコンテンツに関する属性管理情報（以下、コンテンツ管理情報という）をコンテンツ情報記憶部に記憶する。
【００６２】
コンテンツ管理処理は、転送部５９に接続された外部機器からコンテンツデータが転送されるとき、当該外部機器の情報、転送されるコンテンツデータのファイル名等の管理属性情報とハードウェアの個体情報、上述したコンテンツ管理情報データを比較し、外部機器から転送されるコンンツデータが記録再生装置では再生不可のコンテンツデータとして管理されているかコンテンツであるか否かを判別する。
【００６３】
この判断処理の一例を第一の実施の形態でも用いたフローチャートである図３を用いて後述する。
【００６４】
コンテンツ管理処理は、外部機器から転送されるコンテンツデータのコンテンツ情報がコンテンツ情報記憶部に記憶された情報と一致した場合、当該コンテンツデータが再生不可のコンテンツデータとして管理されていることを判別し、外部機器側でこのコンテンツが利用できなくするのと同時に、当記録再生装置内の再生不可のコンテンツデータを再生可能とするようにコンテンツ管理情報を書き換える。また、コンテンツ管理処理は、外部機器から転送されるコンテンツに関する情報（当該外部機器の情報、ファイル名等の管理情報）がコンテンツ情報記憶部に記憶された情報と一致しない場合、当該コンテンツが再生不可のコンテンツデータとしては管理されていないコンテンツと判別し、当該外部機器から転送されるコンテンツデータを新たなコンテンツとして記録再生部５５の記録部に追加記録する、同時に外部機器側では転送済みのコンテンツを再生不可あるいは削除する処理を行う。
【００６５】
コンテンツ毎に再生可能／再生不可を管理する方法の一例では、図１１のようなデータ管理構造において、例えば図７及び８に示すようにコンテンツ再生操作の可否を示す（フラグ）フィールドをコンテンツ属性情報管理データ中に設ける。フィールドの値が図８に示すように再生不可を示す値（例えば‘０’）であれば再生を不可にし、図７に示すように再生可能を示す値（例えば‘１’）であれば再生が可能であるように管理処理を行えば、コンテンツ単位での再生の可否管理が実現できる。
【００６６】
なお、図９は、本実施の形態の記録再生装置に適応できる外部機器（ここでは、ポーターブルメディアプレイヤ）のハードウェア構成の一例を示すブロック図である。
【００６７】
この例の外部機器は、外部とのコンテンツデータの受信・転送のためのデータコミュニケーションポート８０を備え、ここを通じて外部とのデータおよび情報のやり取りを受信転送部８９で行う。記録再生部８５は、情報を記録し、制御部９１のコンテンツ管理制御を受けて、指令に応じ、データの転送、再生を行う。再生は、復号化部８３、デコーダ部８６を通じてプレイバック出力９５とされ、表示装置、スピーカなどに送られる。特有のハードウェアＩＤを含むＲＯＭ９２を有し、制御部９１のコンテンツ管理処理部がコンテンツの受信、転送、再生などの制御を行う。
【００６８】
次に、本実施の形態の記録再生装置のコンテンツデータの転送動作を説明する。図２及び図３は、第一の実施の形態でも用いたフローチャートであるが、本第２の実施の形態の記録再生装置のコンテンツデータの転送動作を説明するフローチャートでもある。
【００６９】
図２に示すステップＳ１は、制御処理部６１が転送部５９に接続された外部機器を認証する制御をするステップである。図６におけるコンテンツ管理処理部６３は、転送部５９から入力された外部機器の情報（ハードウェアＩＤ）から、転送部５９に接続された外部機器を認証する。
【００７０】
図２に示すステップＳ２は、コンテンツデータを外部機器に転送するか否かを図６のコンテンツ管理処理部６３が判別するステップである。操作部６０の一機能である表示機能６０ｂは、コンテンツ管理処理部６３の制御により、転送可能（再生可能）なコンテンツのファイル名を選択可能(Active)な状態で表示し、外部機器に転送されコンテンツ処理により再生不可とされたコンテンツデータのファイル名は表示しない、もしくはファイル名は表示されるが再生操作を選択することが不可能な状態にする。このため、ユーザは、転送されていないコンテンツについてのみ操作部６０を操作し表示機能６０ｂで表示された転送可能なコンテンツを一覧から選択することができる。制御処理部６１（コンテンツ管理処理部６３）は、操作部６０でユーザが選択したコンテンツを外部機器に転送する操作指示の有無により、コンテンツデータを外部機器に転送するか否かを判別する。コンテンツデータを外部機器に転送する場合はステップＳ３に進む。コンテンツデータを外部機器に転送しない場合はステップＳ５に進む。
【００７１】
ステップＳ３は、ステップＳ２で選択されたコンテンツデータを外部機器に転送するステップである。中央制御処理部６１（コンテンツ管理処理部６３）は、記録再生部５５にステップＳ２で選択されたコンテンツデータを読み出す制御をし、読み出したコンテンツデータを転送部５９から外部機器に出力する制御をする。中央制御処理部６１（コンテンツ管理処理部６３）は、ステップＳ１において取得された外部機器の情報を使って、転送するコンテンツデータの解像度が転送先の外部機器が利用可能な解像度に対応するように転送するコンテンツデータの解像度を低解像度に変換する圧縮変換処理を制御し、さらに変換したコンテンツデータの著作権保護のために暗号化処理部５７で暗号化処理を行う。変換されたコンテンツデータは、中央制御処理部６１（コンテンツ管理処理部６３）の制御により、転送部５９から出力する。外部機器は、本実施の形態の記録再生装置から転送されるコンテンツデータを記憶媒体に記憶し、記憶媒体に記憶されたコンテンツデータを再生することができるようになる。
【００７２】
ステップＳ４は、コンテンツ管理処理において外部機器に転送されたコンテンツデータを再生不可とするステップである。コンテンツ管理処理部６３は、ステップＳ３において外部機器に転送されたコンテンツの管理情報５２ａ（図８）属性データを再生不可にし、外部への転送や再生操作ができないようにする。ステップＳ５は、図３に示すフローチャートのステップＳ６に進むステップである。このとき、例えば、転送した外部機器のハードウェアユニークID（個体識別情報）、メディアID、転送したファイルのバイト数、チェックサム値や、転送を行った時刻等を合わせて転送先を識別するための情報として属性管理データに記録する。これにより、以降の外部機器認証ステップで確実に対象機器を識別することが可能となる。
【００７３】
図３に示すステップＳ６は、外部機器から転送されるコンテンツデータがあるか否かを中央制御処理部６１（コンテンツ管理処理部６３）が判別するステップである。中央制御処理部６１は、外部機器から本実施の形態の記録再生装置にコンテンツデータを転送する要求が入力されると、外部機器がコンテンツが転送しようとしていると判別する。外部機器から転送されるコンテンツデータがある場合はステップＳ７に進む。外部機器から転送されるコンテンツデータがない場合は、本実施の形態の記録再生装置へのコンテンツデータの転送動作を終了する。
【００７４】
ステップＳ７は、外部機器から転送されるコンテンツデータが再生不可のコンテンツデータとして管理されているか否かをコンテンツ管理処理部６３が判別するステップである。コンテンツ管理処理は、転送部５９に接続された外部機器からコンテンツデータが転送されるとき、外部機器から入力されたハードウェアＩＤ（Hardware-ID）やメディアＩＤ（Media-ID）などの当該外部機器の個体情報、転送されるコンテンツデータのファイル名等の情報と転送履歴情報、コンテンツ情報記憶部に記憶されたコンテンツ管理情報とを比較し、外部機器から転送されるコンテンツデータが再生不可のコンテンツデータとして管理しているか否かを判別する。外部機器から転送されるコンテンツデータが再生不可のコンテンツデータとして管理されている場合はステップＳ８に進む。外部機器から転送されるコンテンツデータが再生不可のコンテンツデータとして管理されていない場合はステップＳ１０に進む。
【００７５】
ステップＳ８は、図８においてコンテンツ管理処理が再生不可にしていたコンテンツデータを再生可能とするようにコンテンツ管理情報を更新するステップである。コンテンツ管理処理は、ステップＳ７において、外部機器から転送されるコンテンツデータが、再生不可のコンテンツデータとして管理されていることを判別すると、この再生不可とされたコンテンツの管理情報データを再生可能とするコンテンツ管理情報に書き換える。
【００７６】
ステップＳ９は、中央制御処理部６１が、外部機器からのコンテンツデータの転送を終了させる制御コマンドを転送部５９経由で外部機器に送信するステップである。外部機器は、コンテンツデータの転送を終了させる制御コマンドが入力すると、本実施の形態の記録再生装置にコンテンツデータの転送を終了し、転送を完了したものとして転送したコンテンツを記憶媒体から削除、もしくは利用不可能な状態にする。
【００７７】
ステップＳ１０は、外部機器からコンテンツデータの転送を開始するステップである。図６のコンテンツ管理処理部６３のコンテンツ管理処理６３ａは、外部機器から転送されたコンテンツデータを記録再生部５５に記録するように制御する。ステップＳ１１は、図２に示すフローチャートのステップＳ２に進むステップである。
【００７８】
上述した本実施の形態の記録再生装置では、記録再生部５５に記録されたコンテンツのうち、外部機器に転送されコンテンツ管理処理６３ａにより再生不可にされたコンテンツデータのファイル名は表示機能６０ｂでは表示されず、外部機器に転送可能なコンテンツデータのファイル名のみを表示機能６０ｂに表示する。このため、ユーザは、外部機器に転送されていないコンテンツデータのみを選択して再生又は外部機器に転送する操作をすることが可能であり、この仕組みによって著作権が保護される。したがって、本実施の形態の記録再生装置は、コンテンツ管理処理部６３が外部機器に転送したコンテンツは外部機器側でのみ再生ができるように管理するため、外部機器に転送されたコンテンツデータの著作権を保護することができる。
【００７９】
また、本実施の形態の記録再生装置は、低解像度に変換したコンテンツデータを外部機器に転送した後、この低解像度のコンテンツデータを外部機器から記録再生装置に再度転送する場合、低解像度に変換される前の高解像度のコンテンツデータが再生不可情報として記録再生部５５に残っているため、この再生不可として管理された高解像度のコンテンツデータを再生できるようにコンテンツ情報記憶部のコンテンツ管理情報を書き換える。このため、本実施の形態の記録再生装置は、外部機器から低解像度のコンテンツデータが転送され戻ってくる場合であっても、当該コンテンツのデータを低解像度のコンテンツデータに変換する前の高解像度のコンテンツデータにすることができ、転送時の解像度の変換によりコンテンツデータの画質が劣化したものを視聴することになるという問題を避けることができる。
【００８０】
さらに、このような管理手法をより厳密に行うことで、例えば図１２〜１４に示すように、記録された著作権保護が必要なコンテンツの一部だけを外部機器に転送する場合には、転送していない残りの部分の視聴が可能な状態で管理することを可能とできる。すなわち、視聴途中のコンテンツの未視聴区間の開始と終了のポイントを独立した要素として管理を行い、コンテンツ移動処理における管理をより細かく厳密に行うようにしてもよい。例えば、記録再生装置において途中まで視聴されたコンテンツについて、未視聴部分を一時停止ポインターと視聴終了位置ポインターで管理する。ムーブ処理においては、当該コンテンツについて未視聴部分を外部機器に転送する（図１３）。このとき、転送部分（未視聴部分）については、再生（視聴）不可とするとともに、非転送部分（視聴済み部分）については、再生可能とする（図１４）。このような構成により、例えば家庭の記録再生機器に記録したコンテンツデータのうち、ユーザが一部を視聴した後、外出先で外部機器を用いて残りを視聴することが可能となる。このとき、外部機器から記録再生機器にデータを戻す場合においても、即時にムーブバックは完了し、記録再生装置においてオリジナルの解像度が保たれることとなる。
【産業上の利用可能性】
【００８１】
本発明は、著作権保護を遵守しながら、コンテンツデータをそれぞれの機器で最適な高画質を保ちつつ記録再生装置と外部機器の間で幾度でもやり取り(移動処理)を行うことが可能な、受信した放送番組の映像信号及びオーディオ信号を記録媒体に記録し再生する記録再生装置及び記録再生方法として、極めて広い産業上の利用可能性がある。
【図面の簡単な説明】
【００８２】
【図１】本発明に係る第一の実施の形態の記録再生装置の構成を示すブロック図である。
【図２】図１の第一の実施の形態における記録再生装置のコンテンツデータの転送動作を説明するフローチャートである。
【図３】図１の第一の実施の形態における記録再生装置のコンテンツデータの転送動作を説明するフローチャートである。
【図４】本発明に係る第二の実施の形態の記録再生装置の構成を示すブロック図である。
【図５】第二の実施の形態の記録再生装置におけるコンテンツデータの外部機器との相互転送手順の説明図である。
【図６】第二の実施の形態の記録再生装置におけるコンテンツ管理を実現する処理の構成例を示す説明図である。
【図７】第二の実施の形態の記録再生装置における想定される運用形態の一例を示す説明図である。
【図８】第二の実施の形態の記録再生装置におけるさらなる運用形態の一例を示す説明図である。
【図９】第二の実施の形態の記録再生装置に対応する外部機器（PMP）のハードウェア構成の例を示すブロック図である。
【図１０】第二の実施の形態の記録再生装置の著作権管理に対応した取り外し可能な記憶媒体の構成の例（CPRM対応 DVD-RW）を示す説明図である。
【図１１】第二の実施の形態の記録再生装置に対応するコンテンツ管理方法の一例を示す説明図である。
【図１２】第二の実施の形態の記録再生装置に対応するコンテンツ視聴状態の管理方法の説明図である。
【図１３】第二の実施の形態の記録再生装置に対応するコンテンツを転送する領域の指定方法の説明図である。
【図１４】第二の実施の形態の記録再生装置に対応する転送後の録画記録装置側での再生制御の管理の説明図である。
【国際調査報告】
2006112046.tif 000016
2006112046.tif 000017